(57)【要約】【課題】分光的色再現を可能にしながら高速描画を行うことを目的とする。【解決手段】分光情報を含む印刷オブジェクトと分光情報を含まない印刷オブジェクトとが混在或いはどちらかのみ存在する印刷データを印刷する印刷装置であって、印刷データの分光情報を含まない印刷オブジェクトに対して描画処理を行う第一の描画処理手段と、第一の描画処理手段での描画処理の結果、得られた描画オブジェクトに対して色変換処理を行う第一の色変換処理手段と、印刷データの分光情報を含む印刷オブジェクトに対して色変換処理を行う第二の色変換処理手段と、第一の色変換処理手段での色変換処理の結果、得られた色変換後オブジェクトに第二の色変換処理手段での色変換処理の結果、得られた色変換後オブジェクトを描画する描画処理を行う第二の描画処理手段と、を有することによって課題を解決する。【選択図】図２
2011234228.tif 000002
【特許請求の範囲】
【請求項１】
分光情報を含む印刷オブジェクトと分光情報を含まない印刷オブジェクトとが混在或いはどちらかのみ存在する印刷データを印刷する印刷装置であって、
前記印刷データの分光情報を含まない印刷オブジェクトに対して描画処理を行う第一の描画処理手段と、
前記第一の描画処理手段での描画処理の結果、得られた描画オブジェクトに対して色変換処理を行う第一の色変換処理手段と、
前記印刷データの分光情報を含む印刷オブジェクトに対して色変換処理を行う第二の色変換処理手段と、
前記第一の色変換処理手段での色変換処理の結果、得られた色変換後オブジェクトに前記第二の色変換処理手段での色変換処理の結果、得られた色変換後オブジェクトを描画する描画処理を行う第二の描画処理手段と、
を有する印刷装置。
【請求項２】
分光情報を含む印刷オブジェクトと分光情報を含まない印刷オブジェクトとが混在或いはどちらかのみ存在する印刷データを印刷する印刷装置であって、
前記印刷データの印刷オブジェクトを第一の描画処理手段で描画を行うか行わないかを選択する印刷オブジェクト選択手段と、
前記印刷オブジェクト選択手段で第一の描画処理手段で描画を行うと選択された印刷オブジェクトに対して描画処理を行う第一の描画処理手段と、
前記第一の描画処理手段での描画処理の結果、得られた描画オブジェクトに対して色変換処理を行う第一の色変換処理手段と、
前記印刷オブジェクト選択手段により第一の描画処理手段で描画を行わないと選択された印刷オブジェクトに対して色変換処理を行う第二の色変換処理手段と、
前記第一の色変換処理手段での色変換処理の結果、得られた色変換後オブジェクトに前記第二の色変換処理手段での色変換処理の結果、得られた色変換後オブジェクトを描画する描画処理を行う第二の描画処理手段と、
を有する印刷装置。
【請求項３】
前記第二の色変換処理手段は、印刷オブジェクトに対する色変換処理の結果、得られる色変換後オブジェクトの色空間と、前記第一の色変換処理手段での色変換処理の結果、得られた色変換後オブジェクトの色空間と、が同じになるよう色変換処理を行う請求項１又は２記載の印刷装置。
【請求項４】
前記印刷オブジェクト選択手段は、前記印刷データの印刷オブジェクトが分光情報を含まない場合、前記第一の描画処理手段で描画を行うと選択し、前記印刷オブジェクトが分光情報を含む場合、前記第二の描画処理手段で描画を行うと選択し、選択する請求項２記載の印刷装置。
【請求項５】
前記印刷オブジェクト選択手段は、前記印刷データの印刷オブジェクトが分光情報を含み、かつ、透過情報を含まない場合、前記第二の描画処理手段で描画を行うと選択し、その他の印刷オブジェクトは、前記第一の描画処理手段で描画を行うと選択する請求項２記載の印刷装置。
【請求項６】
前記印刷オブジェクト選択手段は、前記印刷データの印刷オブジェクトが分光情報を含み、かつ、画像である場合、前記第二の描画処理手段で描画を行うと選択し、その他の印刷オブジェクトは、前記第一の描画処理手段で描画を行うと選択する請求項２記載の印刷装置。
【請求項７】
前記第一の色変換処理手段と前記第二の色変換処理手段とは、色変換処理の結果、得られる色変換後オブジェクトの色空間が印刷装置の各色材の色材料の色空間になるよう色変換処理を行う請求項１又は２記載の印刷装置。
【請求項８】
分光情報を含む印刷オブジェクトと分光情報を含まない印刷オブジェクトとが混在或いはどちらかのみ存在する印刷データを印刷する印刷装置が実行する画像処理方法であって、
前記印刷データの分光情報を含まない印刷オブジェクトに対して描画処理を行う第一の描画処理ステップと、
前記第一の描画処理ステップでの描画処理の結果、得られた描画オブジェクトに対して色変換処理を行う第一の色変換処理ステップと、
前記印刷データの分光情報を含む印刷オブジェクトに対して色変換処理を行う第二の色変換処理ステップと、
前記第一の色変換処理ステップでの色変換処理の結果、得られた色変換後オブジェクトに前記第二の色変換処理ステップでの色変換処理の結果、得られた色変換後オブジェクトを描画する描画処理を行う第二の描画処理ステップと、
を含む画像処理方法。
【請求項９】
分光情報を含む印刷オブジェクトと分光情報を含まない印刷オブジェクトとが混在或いはどちらかのみ存在する印刷データを印刷する印刷装置が実行する画像処理方法であって、
前記印刷データの印刷オブジェクトを第一の描画処理ステップで描画を行うか行わないかを選択する印刷オブジェクト選択ステップと、
前記印刷オブジェクト選択ステップで第一の描画処理ステップで描画を行うと選択された印刷オブジェクトに対して描画処理を行う第一の描画処理ステップと、
前記第一の描画処理ステップでの描画処理の結果、得られた描画オブジェクトに対して色変換処理を行う第一の色変換処理ステップと、
前記印刷オブジェクト選択ステップにより第一の描画処理ステップで描画を行わないと選択された印刷オブジェクトに対して色変換処理を行う第二の色変換処理ステップと、
前記第一の色変換処理ステップでの色変換処理の結果、得られた色変換後オブジェクトに前記第二の色変換処理ステップでの色変換処理の結果、得られた色変換後オブジェクトを描画する描画処理を行う第二の描画処理ステップと、
を含む画像処理方法。
【請求項１０】
分光情報を含む印刷オブジェクトと分光情報を含まない印刷オブジェクトとが混在或いはどちらかのみ存在する印刷データを印刷するコンピュータに、
前記印刷データの分光情報を含まない印刷オブジェクトに対して描画処理を行う第一の描画処理ステップと、
前記第一の描画処理ステップでの描画処理の結果、得られた描画オブジェクトに対して色変換処理を行う第一の色変換処理ステップと、
前記印刷データの分光情報を含む印刷オブジェクトに対して色変換処理を行う第二の色変換処理ステップと、
前記第一の色変換処理ステップでの色変換処理の結果、得られた色変換後オブジェクトに前記第二の色変換処理ステップでの色変換処理の結果、得られた色変換後オブジェクトを描画する描画処理を行う第二の描画処理ステップと、
を実行させるプログラム。
【請求項１１】
分光情報を含む印刷オブジェクトと分光情報を含まない印刷オブジェクトとが混在或いはどちらかのみ存在する印刷データを印刷するコンピュータに、
前記印刷データの印刷オブジェクトを第一の描画処理ステップで描画を行うか行わないかを選択する印刷オブジェクト選択ステップと、
前記印刷オブジェクト選択ステップで第一の描画処理ステップで描画を行うと選択された印刷オブジェクトに対して描画処理を行う第一の描画処理ステップと、
前記第一の描画処理ステップでの描画処理の結果、得られた描画オブジェクトに対して色変換処理を行う第一の色変換処理ステップと、
前記印刷オブジェクト選択ステップにより第一の描画処理ステップで描画を行わないと選択された印刷オブジェクトに対して色変換処理を行う第二の色変換処理ステップと、
前記第一の色変換処理ステップでの色変換処理の結果、得られた色変換後オブジェクトに前記第二の色変換処理ステップでの色変換処理の結果、得られた色変換後オブジェクトを描画する描画処理を行う第二の描画処理ステップと、
を実行させるプログラム。
【発明の詳細な説明】
【技術分野】
【０００１】
本発明は、印刷装置、画像処理方法及びプログラムに関する。
【背景技術】
【０００２】
近年、４種類以上のカラーフィルターを用いたマルチバンドカメラと４色以上の色材とを用いる印刷装置により、撮影対象の分光反射率まで再現する分光的色再現が可能になってきている。一般的にマルチバンドカメラで作成される画像データは４チャンネル以上の分光情報を保持した画像データとして表現され、それを印刷装置の各色材の色材量に変換することで分光的色再現が可能になる。また、画像データを印刷する際、画像データのみで印刷を行うのではなく、コンピュータの画面上で文字データ、図形データ等を追加してから印刷することも多い。この場合、文字データ、図形データの色はコンピュータの画面上で指定されるため、分光情報を持たない３チャンネル以下の文字データ、図形データとして表現されるのが一般的である。一方、印刷処理では、一つ以上の印刷オブジェクト、即ち画像データ、文字データ、図形データを描画して出力データを作成してそれを出力することが一般的である。しかし、マルチバンドカメラで作成された画像データ、文字データ、図形データの色表現形式が異なるため、予め色表現形式をあわせてから出力データを作成する必要がある。
【先行技術文献】
【特許文献】
【０００３】
【特許文献１】特開２００１−０８６３８３号公報
【特許文献２】特開２００２−２５４７０８号公報
【発明の概要】
【発明が解決しようとする課題】
【０００４】
これによりマルチバンドカメラで撮影された画像データとコンピュータの画面上で追加された文字データ、図形データ等とを合成して印刷することが可能になる。しかし、出力データを作成する際、画像データ、文字データ、図形データの色表現形式を印刷装置の色材料或いは画像データの色表現形式にあわせてから描画を行うと、印刷装置の色材数或いは画像データのチャンネル数と同じチャンネル数のデータを描画する必要がある。そのため描画に時間がかかるという課題があった。一方、文字データ、図形データの色表現形式或いは三刺激値等にあわせてから描画を行うと、分光的色再現が行えなくなるという課題があった。
【０００５】
本発明はこのような問題点に鑑みなされたもので、分光的色再現を可能にしながら高速描画を行うことを目的とする。
【課題を解決するための手段】
【０００６】
そこで、本発明は、分光情報を含む印刷オブジェクトと分光情報を含まない印刷オブジェクトとが混在或いはどちらかのみ存在する印刷データを印刷する印刷装置であって、前記印刷データの分光情報を含まない印刷オブジェクトに対して描画処理を行う第一の描画処理手段と、前記第一の描画処理手段での描画処理の結果、得られた描画オブジェクトに対して色変換処理を行う第一の色変換処理手段と、前記印刷データの分光情報を含む印刷オブジェクトに対して色変換処理を行う第二の色変換処理手段と、前記第一の色変換処理手段での色変換処理の結果、得られた色変換後オブジェクトに前記第二の色変換処理手段での色変換処理の結果、得られた色変換後オブジェクトを描画する描画処理を行う第二の描画処理手段と、を有する。
また、本発明は、分光情報を含む印刷オブジェクトと分光情報を含まない印刷オブジェクトとが混在或いはどちらかのみ存在する印刷データを印刷する印刷装置であって、前記印刷データの印刷オブジェクトを第一の描画処理手段で描画を行うか行わないかを選択する印刷オブジェクト選択手段と、前記印刷オブジェクト選択手段で第一の描画処理手段で描画を行うと選択された印刷オブジェクトに対して描画処理を行う第一の描画処理手段と、前記第一の描画処理手段での描画処理の結果、得られた描画オブジェクトに対して色変換処理を行う第一の色変換処理手段と、前記印刷オブジェクト選択手段により第一の描画処理手段で描画を行わないと選択された印刷オブジェクトに対して色変換処理を行う第二の色変換処理手段と、前記第一の色変換処理手段での色変換処理の結果、得られた色変換後オブジェクトに前記第二の色変換処理手段での色変換処理の結果、得られた色変換後オブジェクトを描画する描画処理を行う第二の描画処理手段と、を有する。
なお、特許請求の範囲に記載の印刷装置及びコンピュータは、例えば、後述する画像形成装置等に対応する。
【発明の効果】
【０００７】
本発明によれば、分光的色再現を可能にしながら高速描画を行うことができる。
【図面の簡単な説明】
【０００８】
【図１】印刷システムのシステム構成の一例を示す図である。
【図２】画像形成装置のコントローラユニットのハードウェア構成の一例を示す図である。
【図３】コンピュータ及び画像形成装置のモジュール構成の一例を示した図である。
【図４】印刷データの一例を示した図である。
【図５】印刷オブジェクト情報の一例を示した図である。
【図６】背景画像Ａの一例を示した図である。
【図７】印刷データを出力する処理の一例を示すフローチャートである。
【図８】印刷オブジェクトが重なっている場合の印刷データを出力処理の一例を示すフローチャートである。
【発明を実施するための形態】
【０００９】
以下、本発明の実施形態について図面に基づいて説明する。
【００１０】
＜実施形態１＞
図１は、印刷システムのシステム構成の一例を示す図である。
図１において、コンピュータ１１は、画像形成装置（画像処理装置）１２とデータ転送ケーブル１３を経由して接続されている。なお、画像形成装置１２は、印刷装置及びコンピュータの一例でもある。
【００１１】
図２は、画像形成装置１２のコントローラユニットのハードウェア構成の一例を示す図である。コントローラユニット１１２は、画像形成装置として機能するプリンタ１１１と接続することで、画像データの印刷を行う。ＣＰＵ１０１は、画像形成装置全体を制御するプロセッサである。ＲＡＭ１０２は、書き換え可能な不揮発性メモリであり、システムを制御するための各種制御プログラムが記録される。操作部Ｉ／Ｆ１０３は、操作部１０４とのインターフェース部で、操作部１０４に表示する画像データを出力する。また、操作部Ｉ／Ｆ１０３は、操作部１０４からユーザが入力した情報を、ＣＰＵ１０１に伝える役割をする。  以上のデバイスがシステムバス１０５を介して接続されている。
イメージバスＩＭＡＧＥ  ＢＵＳ  Ｉ／Ｆ１０７は、システムバス１０５と画像データを高速で転送する画像バス１０９とを接続し、データ構造を変換するバスブリッジである。画像バス１０９は、ＰＣＩバス又はＩＥＥＥ１３９４で構成される。画像バス１０９には以下のデバイスが接続されている。プリンタＩ／Ｆ１１０は、プリンタ１１１と接続し、画像データの印刷を行う。操作部１０４は、ＬＣＤ表示部を有し、ＬＣＤ上にタッチパネルシートが貼られている。また、操作部１０４は、操作キーを有している。操作部１０４は、システムの操作画面を表示すると共に、表示してあるキーが押されるとその位置情報をＣＰＵ１０１に伝える。  ＬＡＮインターフェース１０６は、ＬＡＮに接続するための機能ユニットで、ＬＡＮを介してコンピュータ１１から画像ファイルを受信したり、他のデバイスの情報を取得したりするために使用される。ＣＰＵ１０１が、ＲＡＭ１０２等に記憶されているプログラムに基づき処理を実行することによって、後述する画像形成装置１２のモジュール構成及び画像形成装置１２によるフローチャートに係る処理が実現される。
【００１２】
図３は、コンピュータ１１及び画像形成装置１２のモジュール構成の一例を示した図である。
画像データ２０１は、分光情報を保持した画像データである。画像データ２０１は、例えばマルチバンドカメラで撮影された画像データ等である。印刷データ生成部２０２は、画像データ２０１を受け取り、文字、図形、分光情報を保持していない画像等、他の印刷オブジェクトを追加する等して、印刷データ２０３を作成する。印刷データ生成部２０２は、例えば画像データ２０１の各色をＬｏｏｋ  Ｕｐ  Ｔａｂｌｅ等を用いてＲＧＢ色空間の色に変換したのち、変換後の画像データをコンピュータ１１の画面上に表示する。そして、印刷データ生成部２０２は、コンピュータ１１のユーザ等に文字や図形を入力させる。このようにして印刷データ生成部２０２は、印刷データ２０３を作成する。ここで、画像データ２０１の各色をＲＧＢ色空間の色に変換すると分光的色再現は行えなくなる。そのため、印刷データ生成部２０２は、ＲＧＢ色空間に変換した画像データをコンピュータ１１の画面上に表示するときのみに使用し、印刷データ２０３は変換前の画像データ２０１から作成する。
上述したように、印刷データ２０３は、分光情報を含む印刷オブジェクトと分光情報を含まない印刷オブジェクトとが混在或いはどちらかのみ存在する。
印刷データ解析部２０４は、印刷データ生成部２０２で作成された印刷データ２０３を解析し、印刷データ２０３に含まれる印刷オブジェクトを取得し、印刷オブジェクト情報２０５を作成する。印刷データ解析部２０４は、印刷オブジェクト選択手段の一例である。描画部Ａ２０６は、印刷オブジェクト情報２０５から特定の印刷オブジェクトを抜き出し、抜き出した印刷オブジェクトを描画し、背景画像Ａ２０７を作成する。描画部Ａ２０６は、第一の描画処理手段の一例である。背景画像Ａ２０７は、描画オブジェクトの一例である。色変換部Ａ２０８は、背景画像Ａ２０７に色変換処理を行い、背景画像Ｂ２０９を作成する。色変換部Ａ２０８は、第一の色変換処理手段の一例である。背景画像Ｂ２０９は、色変換後オブジェクトの一例である。色変換部Ｂ２１０は、印刷オブジェクト情報２０５から特定の印刷オブジェクトを抜き出し、抜き出した印刷オブジェクトの色変換処理を行い、前景画像２１１を作成する。色変換部Ｂ２１０は、第二の色変換処理手段の一例である。描画部Ｂ２１２は、背景画像Ｂ２０９と前景画像２１１とを描画し、出力データ２１３を作成する。描画部Ｂ２１２は、第二の描画処理手段の一例である。
【００１３】
図４は、印刷データ２０３の一例を示した図である。
３０１は、画像データ２０１を貼り付けた画像を表す印刷オブジェクトであり、分光情報を保持したデータである。３０２は、印刷データ生成部２０２で追加された文字を表す印刷オブジェクトである。３０３は、印刷データ生成部２０２で追加された図形を表す印刷オブジェクトである。
図５は、印刷オブジェクト情報２０５の一例を示した図である。
４０１には、印刷オブジェクトの識別子が格納される。図５の例では、画像を表す印刷オブジェクト３０１の識別子と文字を表す印刷オブジェクト３０２の識別子と図形を表す印刷オブジェクト３０３の識別子とが格納されている。４０２には、印刷オブジェクトに分光情報が含まれているかどうかが格納される。図５の例では、印刷オブジェクト３０１は分光情報が含まれており、印刷オブジェクト３０２と印刷オブジェクト３０３とは分光情報が含まれていないことが表されている。４０３には、印刷オブジェクトを描画する際の描画位置が格納されている。４０４には、印刷オブジェクトを描画する際の描画サイズが格納されている。４０５には、印刷オブジェクトを描画する際の描画順序が格納されている。複数の印刷オブジェクトが重なって描画される際、描画順序が大きいものが前面に描画され、描画順序が小さいものが背面に描画される。４０６には、印刷オブジェクトをどちらの描画部で描画するかが格納されている。図５の例では、印刷オブジェクト３０１は描画部Ｂで描画され、印刷オブジェクト３０２と印刷オブジェクト３０３は描画部Ａで描画されることが表されている。
図６は、背景画像Ａ２０７の一例を示した図である。
背景画像Ａ２０７は、図５の４０６が描画部Ａになっている印刷オブジェクトのみが描画された画像である。
【００１４】
ここで、図７のフローチャートを参照しながら、印刷データを出力する処理の一例について説明する。図７は、印刷データを出力する処理の一例を示すフローチャートである。
Ｓ６０１で印刷データ生成部２０２は、画像データ２０１を取得する。
Ｓ６０２で印刷データ生成部２０２は、Ｓ６０１で取得した画像データに文字や図形等を追加して、印刷データ２０３を作成する。Ｓ６０３で印刷データ解析部２０４は、印刷データ２０３に含まれている印刷オブジェクトを一つ取得する。Ｓ６０４で印刷データ解析部２０４は、Ｓ６０３で取得した印刷オブジェクトをどちらの描画部で描画を行うかを判定する。印刷データ解析部２０４は、例えば印刷オブジェクトが分光情報を保持していれば描画部Ｂ、分光情報を保持していないなら描画部Ａのように判定できる。Ｓ６０５で印刷データ解析部２０４は、Ｓ６０３で取得した印刷オブジェクトを印刷オブジェクト情報２０５に追加する。Ｓ６０６で印刷データ解析部２０４は、印刷データ２０３に含まれる全ての印刷オブジェクトの処理を行ったか調べ、未処理の印刷オブジェクトがある場合は、その印刷オブジェクトに対してＳ６０３からＳ６０５までの処理を繰り返す。
【００１５】
Ｓ６０７で描画部Ａ２０６は、印刷オブジェクト情報２０５から印刷オブジェクトを一つ取得する。Ｓ６０８で描画部Ａ２０６は、取得した印刷オブジェクトをどちらの描画部で描画するか調べ、描画部Ａで描画するようになっている場合は、Ｓ６０９で背景画像Ａ２０７に印刷オブジェクトの描画を行う。Ｓ６１０で描画部Ａ２０６は、印刷データ２０３に含まれる全ての印刷オブジェクトの処理を行ったか調べ、未処理の印刷オブジェクトがある場合は、その印刷オブジェクトに対してＳ６０７からＳ６０９までの処理を繰り返す。Ｓ６１１で色変換部Ａ２０８は、Ｓ６０７からＳ６１０までの処理で作成された背景画像Ａ２０７に対して背景画像の各色を印刷装置の各色材の色材料に変換を行い、背景画像Ｂ２０９を作成する。色変換部Ａ２０８は、例えばＬｏｏｋ  Ｕｐ  Ｔａｂｌｅ等を用いて色変換処理を行うことができる。Ｓ６１２で描画部Ｂ２１２は、Ｓ６１１で作成された背景画像Ｂ２０９を取得する。
【００１６】
Ｓ６１３で色変換部Ｂ２１０は、印刷オブジェクト情報２０５から印刷オブジェクトを一つ取得する。Ｓ６１４で色変換部Ｂ２１０は、取得した印刷オブジェクトをどちらの描画部で描画するか調べ、描画部Ｂで描画するようになっている場合は、Ｓ６１５で印刷オブジェクトの色を印刷装置の各色材の色材量に変換を行い、前景画像２１１を作成する。色変換部Ｂ２１０は、例えばＬｏｏｋ  Ｕｐ  Ｔａｂｌｅ等を用いて色変換処理を行うことができる。Ｓ６１６で描画部Ｂ２１２は、Ｓ６１５で作成された前景画像を背景画像Ｂ２０９に描画する。Ｓ６１７で画像形成装置１２は、印刷データ２０３に含まれる全ての印刷オブジェクトの処理を行ったか調べ、未処理の印刷オブジェクトがある場合は、その印刷オブジェクトに対して６１３から６１６までの処理を繰り返す。Ｓ６１８でプリンタ１１１は、描画の結果得られた画像を出力データに変換し、出力処理を行い、図７に示す処理を終了する。
【００１７】
なお、図７では画像、文字、図形から構成される印刷データについての印刷処理を説明したが、印刷データには画像、文字、図形の全てがある必要はない。また、文字、図形に分光情報が含まれていてもよい。
また、Ｓ６１１の処理において、色変換部Ａ２０８は、背景画像Ａ２０７を、印刷装置の各色材の色材料ではなくＲＧＢ色空間やＣＭＹＫ色空間等、任意の色空間に変換してもよい。Ｓ６１１の処理で色変換部Ａ２０８が、背景画像Ａ２０７を、ＲＧＢ色空間やＣＭＹＫ色空間等、任意の色空間に変換した場合、色変換部Ｂ２１０は、印刷オブジェクトをＳ６１５の処理で同一の色空間に変換する。
また、Ｓ６０４の処理において、印刷データ解析部２０４は、別の方法でどちらの描画部で描画を行うかを判定（又は選択）してもよい。例えば、印刷データ解析部２０４は、分光情報を保持しており、かつ、透過情報がない印刷オブジェクトは描画部Ｂで描画を行い、その他の印刷オブジェクトは描画部Ａで描画を行うと判定してもよい。或いは、印刷データ解析部２０４は、分光情報を保持しており、かつ、画像であるような印刷オブジェクトは描画部Ｂで描画を行い、その他の印刷オブジェクトは描画部Ａで描画を行うと判定してもよい。
上記の方法で描画部の判定を行った場合、分光情報を保持している印刷オブジェクトのうち一部の印刷オブジェクトは分光的色再現が行われなくなるが、より高速に印刷処理を行うことが可能になる。より具体的には、以下のようにすることで印刷処理を行うことが可能である。
Ｓ６０９で描画部Ａ２０６は、印刷オブジェクトを描画する前に印刷オブジェクト情報２０５から印刷オブジェクトに分光情報があるかないかを調べ、ある場合はＬｏｏｋ  Ｕｐ  Ｔａｂｌｅ等を用いて分光情報がない色空間に変換してから描画処理を行う。更に、Ｓ６１５で色変換部Ｂ２１０は、印刷オブジェクトの色変換を行う前に印刷オブジェクト情報２０５から印刷オブジェクトに分光情報があるかないかを調べる。そして、色変換部Ｂ２１０は、印刷オブジェクトに分光情報がない場合は特定の分光付加情報を追加して、Ｌｏｏｋ  Ｕｐ  Ｔａｂｌｅ等を用いて分光情報がある色空間に変換してから色変換処理を行う。
色変換部Ｂ２１０は、マルチバンドで表される色或いは三刺激値と分光付加情報とで表される色を変換するようにしてもよい。
【００１８】
また、印刷オブジェクト情報２０５において、描画部Ｂで描画するようになっている印刷オブジェクトの前面に描画部Ａで描画するようになっている印刷オブジェクトが重なっている場合の望ましい処理について、図８のフローチャートを参照しながら説明する。図８は、印刷オブジェクトが重なっている場合の印刷データを出力処理の一例を示すフローチャートである。
なお、説明の簡略化のため、図８では、描画部Ｂで描画するようになっている印刷オブジェクトが１つのみの場合について説明をする。複数の場合は、画像形成装置１２は、Ｓ７０２からＳ７０９までの処理を繰り返すことで複数の印刷オブジェクトを描画可能である。Ｓ７０１で印刷オブジェクト情報２０５が作成される。印刷オブジェクト情報２０５は、図７のＳ６０１からＳ６０６までと同様の処理で作成される。Ｓ７０２で描画部Ａ２０６は、印刷オブジェクト情報２０５から描画部Ｂで描画するようになっている印刷オブジェクトの描画順序を取得する。Ｓ７０３で描画部Ａ２０６は、印刷オブジェクト情報２０５から印刷オブジェクトを一つ取得する。
【００１９】
Ｓ７０４で描画部Ａ２０６は、取得した印刷オブジェクトをどちらの描画部で描画するか調べ、描画部Ａで描画するようになっている場合は、Ｓ７０５で描画部Ａで描画するようになっている印刷オブジェクトの描画順序とＳ７０２で取得した描画順序とを比較する。描画部Ａで描画するようになっている印刷オブジェクトの描画順序の方が小さい場合は、Ｓ７０６で描画部Ａ２０６は、背景画像Ａ２０７に印刷オブジェクトの描画を行う。Ｓ７０７で描画部Ａ２０６は、印刷データ２０３に含まれる全ての印刷オブジェクトの処理を行ったか調べ、未処理の印刷オブジェクトがある場合は、その印刷オブジェクトに対してＳ７０３からＳ７０６までの処理を繰り返す。Ｓ７０８で描画部Ｂ２１２は、背景画像Ｂ２０９を取得する。描画部Ｂ２１２は、背景画像Ｂ２０９を、色変換部Ａ２０８及び描画部Ｂ２１２が、Ｓ６１１からＳ６１２までと同様の処理を実行するとによって取得することができる。Ｓ７０９で背景画像Ｂ２０９に描画部Ｂで描画するようになっている印刷オブジェクトが描画される。色変換部Ｂ２１０及び描画部Ｂ２１２が、Ｓ６１５からＳ６１６までと同様の処理を実行することによってＳ７０９の処理が実行される。
【００２０】
Ｓ７１０で描画部Ａ２０６は、印刷オブジェクト情報２０５から印刷オブジェクトを一つ取得する。
Ｓ７１１で描画部Ａ２０６は、取得した印刷オブジェクトをどちらの描画部で描画するか調べ、描画部Ａで描画するようになっている場合は、Ｓ７１２で描画部Ａで描画するようになっている印刷オブジェクトの描画順序とＳ７０２で取得した描画順序とを比較する。描画部Ａで描画するようになっている印刷オブジェクトの描画順序の方が大きい場合は、Ｓ７１３で描画部Ａ２０６は、背景画像Ａ２０７に印刷オブジェクトの描画を行う。Ｓ７１４で描画部Ａ２０６は、印刷データ２０３に含まれる全ての印刷オブジェクトの処理を行ったか調べ、未処理の印刷オブジェクトがある場合は、その印刷オブジェクトに対してＳ７１０からＳ７１３までの処理を繰り返す。Ｓ７１５でプリンタ１１１は、描画の結果得られた画像を出力データに変換し、出力処理を行い、図８に示す終了する。
【００２１】
以上、上述したように本実施形態によれば、分光的色再現を可能にしながら高速描画を行うことができる。
【図１】
2011234228.tif 000003
【図２】
2011234228.tif 000004
【図３】
2011234228.tif 000005
【図４】
2011234228.tif 000006
【図５】
2011234228.tif 000007
【図６】
2011234228.tif 000008
【図７】
2011234228.tif 000009
【図８】
2011234228.tif 000010